(57)【要約】【課題】作業性を向上でき、消毒効果の低下および菌の混入を防止できるとともに、使用用途に応じて使用枚数を選択できる使い捨て衛生材料を提供する。【解決手段】材料分割線４に平行に容器３に設けた第１の開封線１１から容器３を開封して衛生材料本体２を材料分割線４から分割して使用できる。第１の開封線１１に直交する方向に沿って容器３に設けた第２の開封線１２から容器を開封して衛生材料本体２を分割しないで使用できる。使用する衛生材料本体２の枚数を使用用途に応じて選択できる。使用毎に容器３を開封して使用できるので、消毒効果の低下および菌の混入を防止できる。衛生材料本体２を分割して使用する際でも第１の開封線１１からの１回の開封で済み、容器３の開封の手間を低減できるとともに、予め衛生材料本体２に消毒剤Ｓを含浸させることにより、衛生材料本体２に消毒剤Ｓを含浸させる手間をも省くことができ、作業性を向上できる。【選択図】        図１
2004359331.tif 000002
【特許請求の範囲】
【請求項１】
少なくとも一対の縦方向端縁および一対の横方向側縁を有し、予め消毒剤が含浸された衛生材料本体と、
この衛生材料本体を収容した容器と、
前記衛生材料本体に縦方向および横方向の少なくともいずれか一方に沿って設けられ、前記衛生材料本体を少なくとも２つ以上に分割可能にする分割線と、
前記容器の前記衛生材料本体が位置している部分に前記分割線と平行に設けられ、前記容器を開封可能にする第１の開封線と、
この第１の開封線と交差する方向に沿って前記容器に設けられ、この容器を開封可能にする第２の開封線と
を具備したことを特徴とした使い捨て衛生材料。
【請求項２】
第１の開封線は、容器の衛生材料本体の分割線と略一致する位置に設けられている
ことを特徴とした請求項１記載の使い捨て衛生材料。
【請求項３】
衛生材料本体は、分割線に沿った方向に対して２つ折りにされた状態で容器に収容されている
ことを特徴とした請求項２記載の使い捨て衛生材料。
【請求項４】
分割線は、衛生材料本体に複数設けられ、
第１の開封線は、前記分割線に対応して容器に複数設けられている
ことを特徴とした請求項１ないし３いずれか一記載の使い捨て衛生材料。
【請求項５】
第１の開封線の少なくとも一部に沿って設けられた第１の表示部と、
第２の開封線の少なくとも一部に沿って設けられ、前記第１の表示部と異なる表示を有する第２の表示部と
を具備したことを特徴とした請求項１ないし４いずれか一記載の使い捨て衛生材料。
【発明の詳細な説明】
【０００１】
【発明の属する技術分野】
本発明は、衛生材料本体とこの衛生材料本体を収容した容器とを備えた使い捨て衛生材料に関する。
【０００２】
【従来の技術】
従来、例えば注射をする際には、注射部位とその周辺の皮膚を消毒する。この場合には、例えば脱脂綿などの衛生材料本体に、アルコールなどの消毒剤を含浸させた使い捨ての消毒用衛生材料が使用される。通常、消毒は消毒用衛生材料を１枚使用するが、例えば１枚目で注射部位の汚れを落とし、２枚目で消毒する場合、あるいは、１枚目で消毒をし、２枚目で止血をする場合などもある。したがって、注射をする際には、消毒用衛生材料を１枚使用する場合と、２枚使用する場合とがある。
【０００３】
一般に、消毒用衛生材料を病院などで作成する場合には、万能つぼと呼ばれる金属製の容器の中に複数の衛生材料本体と消毒剤とを収容する。
【０００４】
しかしながら、万能つぼで消毒用衛生材料を作成する場合、使用毎に容器を滅菌し、かつ消毒効果を充分に発揮させるために使用直前に衛生材料と消毒剤とを万能つぼに収容しなければならず、作成作業に手間が掛かってしまうなど作業性が良好でない点、および材料の調整が難しい点などの問題があった。
【０００５】
そこで、衛生材料本体に予め消毒剤を含浸させた複数の消毒用衛生材料を、成形された合成樹脂、あるいは袋状のラミネートフィルムなどの使い捨て容器に収容されている使い捨て衛生材料が知られている。
【０００６】
しかしながら、上述の使い捨て衛生材料では、容器を滅菌する手間、あるいは材料の調整の手間などは省けるが、衛生材料本体に消毒剤を長時間に亘って含浸させることによって消毒効果が低下するおそれ、あるいは使用途中の処置と処置との間に菌が混入してしまうおそれがあった。
【０００７】
そこで、衛生材料本体に予め消毒剤を含浸させた１つの消毒用衛生材料を１つの使い捨て容器に個別に収容している、いわゆる個包装の使い捨て衛生材料が知られている（例えば、特許文献１参照。）。
【０００８】
【特許文献１】
実開平６−０２６８８２号公報（第６−７頁、図１−図３）
【０００９】
【発明が解決しようとする課題】
しかしながら、上述の特許文献１記載の使い捨て衛生材料では、消毒用衛生材料を作成する手間を省くことができるとともに、消毒用衛生材料を使用する際に容器を開封するので、菌の混入を防ぐことができるものの、使用毎に容器を開封しなければならず、例えば１回の処置で消毒用衛生材料を２枚使用する場合には、２つの容器を開封しなければならず、作業性が良好でないという問題点を有している。
【００１０】
この点、例えば２つの消毒用衛生材料を２つの容器に収容することも考えられるが、消毒用衛生材料を１枚しか使用しない場合に、もう１枚が無駄になってしまうという問題もある。
【００１１】
本発明はこのような点に鑑みなされたもので、作業性を向上でき、消毒効果の低下および菌の混入を防止できるとともに、使用用途に応じて使用枚数を選択できる使い捨て衛生材料を提供することを目的とする。
【００１２】
【課題を解決するための手段】
請求項１記載の使い捨て衛生材料は、少なくとも一対の縦方向端縁および一対の横方向側縁を有し、予め消毒剤が含浸された衛生材料本体と、この衛生材料本体を収容した容器と、前記衛生材料本体に縦方向および横方向の少なくともいずれか一方に沿って設けられ、前記衛生材料本体を少なくとも２つ以上に分割可能にする分割線と、前記容器の前記衛生材料本体が位置している部分に前記分割線と平行に設けられ、前記容器を開封可能にする第１の開封線と、この第１の開封線と交差する方向に沿って前記容器に設けられ、この容器を開封可能にする第２の開封線とを具備したものである。
【００１３】
そして、衛生材料本体の縦方向および横方向の少なくともいずれか一方に沿って設けた分割線に平行に設けた第１の開封線から容器を開封して衛生材料本体を分割線から分割して使用することができ、かつ第１の開封線に交差する方向に沿って設けられた第２の開封線から容器を開封して衛生材料本体を分割しないで使用することもできるなど、使用する衛生材料本体の枚数を使用用途に応じて選択できるとともに、使用毎に容器を開封して使用できるので、消毒効果の低下および菌の混入を防止できる。また、衛生材料本体を分割して使用する際でも第１の開封線からの１回の開封で済み、開封の手間を低減できるとともに、予め消毒剤を含浸した衛生材料本体を容器に収容することにより、衛生材料本体に消毒剤を含浸させる手間をも省くことができ、作業性が向上する。
【００１４】
請求項２記載の使い捨て衛生材料は、請求項１記載の使い捨て衛生材料において、第１の開封線は、容器の衛生材料本体の分割線と略一致する位置に設けられているものである。
【００１５】
そして、第１の開封線を衛生材料本体の分割線と略一致する位置に設けることにより、第１の開封線に沿って容器を開封することで同時に衛生材料本体が分割線から分割されるので、例えば容器の開封とは別個に衛生材料本体を分割する場合と比較して、作業性がより向上する。
【００１６】
請求項３記載の使い捨て衛生材料は、請求項２記載の使い捨て衛生材料において、衛生材料本体は、分割線に沿った方向に対して２つ折りにされた状態で容器に収容されているものである。
【００１７】
そして、衛生材料本体を分割線に沿った方向に対して２つ折りにして容器に収容することで、例えば衛生材料本体を折らずに容器に収容する場合と比較して小型化できる。
【００１８】
請求項４記載の使い捨て衛生材料は、請求項１ないし３いずれか一記載の使い捨て衛生材料において、分割線は、衛生材料本体に複数設けられ、第１の開封線は、前記分割線に対応して容器に複数設けられているものである。
【００１９】
そして、衛生材料本体に複数設けた分割線に対応して第１の開封線を複数設けることにより、所望の第１の開封線から容器を開封することで、作業者が使用する衛生材料本体の枚数を選択でき、使い勝手が向上する。
【００２０】
請求項５記載の使い捨て衛生材料は、請求項１ないし４いずれか一記載の使い捨て衛生材料において、第１の開封線の少なくとも一部に沿って設けられた第１の表示部と、第２の開封線の少なくとも一部に沿って設けられ、前記第１の表示部と異なる表示を有する第２の表示部とを具備したものである。
【００２１】
そして、第１の開封線の少なくとも一部に沿って設けた第１の表示部と、第２の開封線の少なくとも一部に沿って設けた第２の表示部との表示を異ならせることで、作業者が作業に応じた開封線を確実に目視で識別でき、所望の開封線でない開封線から誤って容器を開封することを防止する。
【００２２】
【発明の実施の形態】
以下、本発明の使い捨て衛生材料の第１の実施の形態の構成を図１ないし図５を参照して説明する。
【００２３】
図１において、１は使い捨て衛生材料であり、この使い捨て衛生材料１は、衛生材料本体２と、この衛生材料本体２を収容して密封された容器３とを備えている。
【００２４】
衛生材料本体２は、予め消毒剤Ｓが含浸された、例えば織布、不織布、ガーゼ、あるいは脱脂綿などの部材であり、一対の縦方向端縁と一対の横方向側縁とを有する平面視四角形状に形成されている。ここで、消毒剤Ｓとしては、例えば消毒剤、すなわちエタノール、イソプロパノールなどのアルコール類、ポビドンヨード、グルコン酸クロルヘキシジン、塩化ベンザルコニウムなどの物質、あるいはこれら物質を混合させたものなどである。
【００２５】
また、衛生材料本体２には、分割線としての材料分割線４が設けられている。この材料分割線４は、例えば衛生材料本体２の縦方向の略中心域に、衛生材料本体２の幅方向である横方向に沿って設けられている。さらに、この材料分割線４は、ミシン目、切り込み、プレスなどであり、衛生材料本体２に対して外力を加えることでこの衛生材料本体２を略半分ずつの２枚に分割可能にし、かつ外力を加えない状態では衛生材料本体２を分割せずに１枚で使用できる形態となっている。
【００２６】
容器３は、平面視で一対の縦方向側縁および一対の横方向端縁を有する四角形状に形成された一対のフィルムシート５の周囲を互いに接着剤などで貼着して形成されている。すなわち、容器３は、外周縁部に四角枠状のフラップ部６を備えており、このフラップ部６内には、このフラップ部６により周囲を囲まれて密封された四角形状の収容部７が設けられている。この収容部７は、衛生材料本体２全体の縦方向および横方向を容器３の縦方向および横方向に一致させた状態で衛生材料本体２全体を収容可能な大きさに設けられている。したがって、容器３は、衛生材料本体２よりも平面視で大きく形成されている。
【００２７】
さらに、容器３には、横方向に沿って材料分割線４に平行に設けられた第１の開封線１１と、この第１の開封線１１と交差、例えば直交する縦方向に沿って設けられた第２の開封線１２とが設けられている。
【００２８】
第１の開封線１１は、容器３の縦方向の中心および衛生材料本体２の材料分割線４よりも若干一端側寄り、すなわち図１ないし図５に示す上側寄りの位置に、収容部７を横断して設けられており、衛生材料本体２が位置している部分に設けられている。したがって、図２に示すように、第１の開封線１１に沿って容器３を開封した際には、衛生材料本体２の材料分割線４よりも縦方向の一端側の部分、すなわち衛生材料本体２の上側の部分が容器３の外部に露出する。
【００２９】
第２の開封線１２は、例えば容器３の横方向の一側部の近傍の位置に、収容部７を縦断して設けられており、衛生材料本体２の側方に位置している。したがって、図４に示すように、第２の開封線１２に沿って容器３を開封した際には、衛生材料本体２が容器３の外部に露出しない。
【００３０】
さらに、容器３の横方向の一側部および縦方向の一端部には、第１の開封線１１および第２の開封線１２に連続した第１の切込部１３および第２の切込部１４が設けられている。
【００３１】
第１の切込部１３は、平面視で横方向に沿って容器３の外方から内方に向けて幅狭となる略三角形状に、フラップ部６に切込形成されている。この第１の切込部１３は、作業者による容器３の第１の開封線１１からの開封を容易にするものである。
【００３２】
第２の切込部１４は、第１の切込部１３と同様に、平面視で縦方向に沿って容器３の外方から内方に向けて幅狭となる略三角形状に、フラップ部６に切込形成されている。この第２の切込部１４は、作業者による容器３の第２の開封線１２からの開封を容易にするものである。
【００３３】
そして、容器３の表面には、第１の開封線１１および第２の開封線１２に沿って、第１の表示部１５および第２の表示部１６がそれぞれ設けられている。
【００３４】
第１の表示部１５は、例えば第１の開封線１１全体に沿って印刷された、互いに平行な２本の直線である。この第１の表示部１５は、第１の開封線１１に沿って容器３を開封した際には、衛生材料本体２を材料分割線４から２つに分割して使用できることを作業者が容易に目視確認可能に表示している。
【００３５】
第２の表示部１６は、例えば第２の開封線１２上全体に亘って印刷された１本の直線である。したがって、第２の表示部１６は、第１の表示部１５と異なる表示を有している。そして、この第２の表示部１６は、第２の開封線１２に沿って容器３を開封した際には、衛生材料本体２を材料分割線４から分割せずに１つで使用できることを作業者が容易に目視確認可能に表示している。
【００３６】
また、フィルムシート５は、多層構造を有しており、材質としては、例えばポリプロピレン（ＰＰ）、ポリエチレン（ＰＥ）、ポリエチレンテレフタレート（ＰＥＴ）、ポリアクリロニトリル（ＰＡＮ）、エチレン・アクリル酸メチル共重合体（ＥＭＡ）、エチレン・メタクリル酸共重合体（ＥＭＡＡ）、エチレン・メタクリル酸メチル共重合体（ＥＭＭＡ）、エチレン・ビニルアルコール共重合体（ＥＶＯＨ）、アイオノマー、酸化ケイ素蒸着フィルム、アルミ蒸着フィルムなどの合成樹脂を主体としたフィルム素材、アルミニウム箔、あるいはこれらを組み合わせてアンカーコート剤などの接着剤で一体としたものなどを使用する。
【００３７】
そして、フィルムシート５は、衛生材料本体２に含浸させる消毒剤Ｓを例えばアルコール類とした際には、外側から内側に向かってＰＥＴ、アンカーコート剤、ＰＥ、アルミニウム箔およびＥＭＡＡあるいはＰＰとなるように設けたフィルム素材と、その組み合わせにするのが好ましい。理由としては、ＰＥＴは印刷適性が良好で、表示部１５，１６を印刷する際に好適であり、アルミニウム箔およびＥＭＡＡあるいはＰＰは、バリヤ性、すなわちアルコール類の揮発防止性が良好であるためである。
【００３８】
また、フィルムシート５は、バリヤ性を考慮する場合には、フィルム素材はある程度厚くしたほうがよいが、一方で、製造性および製造コストを考慮すると、フィルム素材はできる限り薄くしたほうがよい。
【００３９】
これらの点を考慮すると、フィルムシート５のＰＥＴ、ＰＥ、およびＥＭＡＡあるいはＰＰは、１０〜３０μｍ程度、アルミニウム箔は５〜２０μｍ程度が好ましい。
【００４０】
そして、特に容器３を使用する際の手切れ性、すなわち容器３の開封のしやすさを考慮すると、フィルムシート５のＥＭＡＡあるいはＰＰは２５μｍ以下とするのが好ましい。
【００４１】
また、容器３は、縦方向および横方向に沿って開封線１１，１２からそれぞれ開封するので、フィルムシート５の各素材は方向性がないものが好ましい。
【００４２】
次に、上記第１の実施の形態の作用を説明する。
【００４３】
例えば注射の際などのように、１枚目で注射部位の汚れを落とし、２枚目で消毒をする場合、あるいは１枚目で消毒をして２枚目で止血をする場合などには、衛生材料本体２を２つに分割して使用するために、図２に示すように、作業者が第１の切込部１３の両端を両手でそれぞれ持って第１の開封線１１に沿って容器３を開封する。
【００４４】
このとき、図３に示すように、衛生材料本体２の材料分割線４よりも上側の部分が容器３の外部に露出するので、作業者は、この露出した部分と容器３とを両手でそれぞれ持って材料分割線４に沿って衛生材料本体２を２つに分割し、衛生材料本体２の上側の部分を１枚目として使用する。
【００４５】
この後、容器３に残った材料分割線４の下側に位置した衛生材料本体２を、２枚目として使用する。
【００４６】
一方、衛生材料本体２を１枚として使用する際には、図４に示すように、作業者が第２の切込部１４の両端を両手でそれぞれ持って第２の開封線１２に沿って容器３を開封し、図５に示すように、衛生材料本体２全体を容器３から取り出して使用する。
【００４７】
上述したように、上記第１の実施の形態によれば、第１の開封線１１から容器３を開封して衛生材料本体２を材料分割線４から分割して使用することもでき、かつ第２の開封線１２から容器３を開封して衛生材料本体２を分割しないで使用することもできるなど、使用する衛生材料本体２の枚数を使用用途に応じて選択できる。
【００４８】
また、使用毎に容器３を開封して使用できるので、消毒剤Ｓによる消毒効果の低下および菌の混入を防止できる。
【００４９】
さらに、衛生材料本体２を材料分割線４から分割して２枚として使用する際でも、第１の開封線１１からの１回の開封で済み、例えば１枚の衛生材料本体を１つの容器に収容した従来の場合と比較して、開封の手間を低減できるとともに、予め消毒剤Ｓを含浸した衛生材料本体２を容器３に収容することにより、衛生材料本体２に消毒剤Ｓを含浸させる手間をも省くことができ、作業性を向上できる。
【００５０】
そして、第１の開封線１１に沿って設けた第１の表示部１５と、第２の開封線１２に沿って設けた第２の表示部１６との表示を互いに異ならせることで、作業者が衛生材料本体２を２枚で使用する場合と１枚で使用する場合とで、作業に応じた開封線１１，１２を確実に目視で識別でき、所望の開封線でない方の開封線から誤って容器３を開封することを防止できる。
【００５１】
また、第１の開封線１１を、材料分割線４よりも上側に設けることにより、第１の開封線１１から容器３を開封し衛生材料本体２を材料分割線４から分割して使用する際に、衛生材料本体２の未使用部分全体を、次に容器３から取り出されるまで容器３内に入ったままの状態とすることができ、衛生材料本体２の未使用部分への菌の混入、あるいは消毒剤Ｓの効果の低下などをより確実に防止できる。
【００５２】
さらに、第２の開封線１２を、容器３の収容部７の衛生材料本体２の側方に設けることで、第２の開封線１２から容器３を開封した際に、衛生材料本体２を材料分割線４から分割しにくい状態にでき、第２の開封線１２から容器３を開封した際に、衛生材料本体２を誤って分割させることを確実に防止できる。
【００５３】
次に、第２の実施の形態を図６および図７を参照して説明する。なお、上記第１の実施の形態と同様の構成および作用効果については、同一符号を付してその説明を省略する。
【００５４】
図６に示すように、第１の開封線１１は、容器３の、この容器３に収容された衛生材料本体２の材料分割線４と略一致する位置に設けられている。言い換えると、第１の開封線１１は、材料分割線４と平面視で重なる位置に設けられている。
【００５５】
そして、図７に示すように、作業者が第１の開封線１１に沿って容器３を開封すると、この開封と同時に衛生材料本体２が材料分割線４から２つに分割される。
【００５６】
上述したように、上記第２の実施の形態によれば、第１の開封線１１を衛生材料本体２の材料分割線４と略一致する位置に設けることにより、第１の開封線１１に沿って容器３を開封することで同時に衛生材料本体２が材料分割線４から分割されるので、例えば容器の開封とは別個に衛生材料本体を分割する場合と比較して、作業性をより向上できる。
【００５７】
次に、第３の実施の形態を図８を参照して説明する。なお、上記第１の実施の形態および第２の実施の形態と同様の構成および作用効果については、同一符号を付してその説明を省略する。
【００５８】
衛生材料本体２の縦方向の中心域には、折り線１８が設けられている。また、材料分割線４は、折り線１８の縦方向の一端側寄りの位置と他端側寄りの位置とに、折り線１８に平行にそれぞれ設けられている。言い換えると、折り線１８は、材料分割線４に平行に設けられている。そして、材料分割線４は、衛生材料本体２の折り線１８に対して互いに線対称な位置に設けられている。
【００５９】
また、衛生材料本体２は、折り線１８から、すなわち材料分割線４に沿った方向に対して２つ折りにされて容器３内に収容されている。したがって、容器３は、収容部７が、衛生材料本体２の縦方向の半分の大きさよりも若干大きくなるように形成されている。さらに、材料分割線４は、衛生材料本体２が容器３に収容された状態で、互いに重なり合っている。
【００６０】
第１の開封線１１は、材料分割線４に略一致する位置に設けられている。言い換えると、第１の開封線１１は、材料分割線４と平面視で重なる位置に設けられている。
【００６１】
そして、作業者が第１の開封線１１に沿って容器３を開封すると、この開封と同時に衛生材料本体２が材料分割線４から２つに分割され、これら分割された衛生材料本体２のそれぞれが容器３内に入ったままの状態となる。
【００６２】
上述したように、上記第３の実施の形態によれば、衛生材料本体２を材料分割線４に沿った方向に対して２つ折りにして容器３に収容することで、例えば衛生材料本体を折らずに容器に収容する場合と比較して、使い捨て衛生材料１全体を小型化できる。
【００６３】
次に、第４の実施の形態を図９を参照して説明する。なお、上記第１の実施の形態ないし第３の実施の形態と同様の構成および作用効果については、同一符号を付してその説明を省略する。
【００６４】
衛生材料本体２は、縦長に形成されており、材料分割線４が、複数、例えば３つ、衛生材料本体２の縦方向に略等間隔に離間されて互いに平行に設けられている。
【００６５】
容器３は、衛生材料本体２を収容可能に縦長に形成されており、第１の開封線１１が、材料分割線４に対応した複数、すなわち３つ、材料分割線４と略一致する位置に設けられている。言い換えると、第１の開封線１１は、材料分割線４と平面視で重なる位置に設けられている。
【００６６】
また、第１の切込部１３は、各第１の開封線１１に対応した位置に設けられている。
【００６７】
そして、作業者が各第１の開封線１１に沿って容器３を開封すると、この開封と同時に衛生材料本体２が材料分割線４からそれぞれ分割される。
【００６８】
上述したように、上記第４の実施の形態によれば、衛生材料本体２に複数設けた材料分割線４に対応して第１の開封線１１を複数設けることにより、所望の位置の第１の開封線１１および第２の開封線１２から容器３を開封することで、作業者が使用する衛生材料本体２の大きさ、あるいは枚数などを使用用途に応じて選択でき、１回の処置で複数枚の衛生材料本体２を使用する場合にも対応できるなど、使い勝手を向上できる。
【００６９】
なお、上記各実施の形態において、第１の開封線１１および第２の開封線１２は、容器３の横方向および縦方向に対してそれぞれ斜めに傾斜させて配設しても同様の作用効果を奏することが可能である。
【００７０】
また、材料分割線４は、外力を加えることで衛生材料本体２を分割可能にし、かつ外力を加えないときは衛生材料本体２を分割しない形態であれば、他の様々な形態が可能である。
【００７１】
さらに、衛生材料本体２の縦方向に沿って設けてもよい。この場合には、第１の開封線１１および第２の開封線１２をそれぞれ材料分割線４の方向に応じて設定する。
【００７２】
そして、第１の表示部１５および第２の表示部１６は、例えば第１の表示部１５を「１枚用」とし、第２の表示部１６を「複数枚用」とするなど、作業者が第１の開封線１１および第２の開封線１２を確実に識別できる表示であれば、他の様々な表示の形態が可能である。
【００７３】
また、第１の表示部１５を容器３の表面に設け、第２の表示部１６を容器３の裏面に設けるなどの構成も可能である。この場合には、第１の開封線１１と第２の開封線１２とを、作業者がより確実に識別できる。
【００７４】
さらに、第１の切込部１３および第２の切込部１４は、それぞれ第１の開封線１１および第２の開封線１２の両端部に設けてもよい。
【００７５】
【発明の効果】
請求項１記載の使い捨て衛生材料によれば、衛生材料本体の縦方向および横方向の少なくともいずれか一方に沿って設けた分割線に平行に設けた第１の開封線から容器を開封して衛生材料本体を分割線から分割して使用することができ、かつ第１の開封線に交差する方向に沿って設けられた第２の開封線から容器を開封して衛生材料本体を分割しないで使用することもできるなど、使用する衛生材料本体の枚数を使用用途に応じて選択できるとともに、使用毎に容器を開封して使用できるので、消毒効果の低下および菌の混入を防止できる。また、衛生材料本体を分割して使用する際でも第１の開封線からの１回の開封で済み、開封の手間を低減できるとともに、予め消毒剤を含浸した衛生材料本体を容器に収容することにより、衛生材料本体に消毒剤を含浸させる手間をも省くことができ、作業性を向上できる。
【００７６】
請求項２記載の使い捨て衛生材料によれば、第１の開封線を衛生材料本体の分割線と略一致する位置に設けることにより、第１の開封線に沿って容器を開封することで同時に衛生材料本体が分割線から分割されるので、例えば容器の開封とは別個に衛生材料本体を分割する場合と比較して、作業性をより向上できる。
【００７７】
請求項３記載の使い捨て衛生材料によれば、衛生材料本体を分割線に沿った方向に対して２つ折りにして容器に収容することで、例えば衛生材料本体を折らずに容器に収容する場合と比較して小型化できる。
【００７８】
請求項４記載の使い捨て衛生材料によれば、衛生材料本体に複数設けた分割線に対応して第１の開封線を複数設けることにより、所望の第１の開封線から容器を開封することで、作業者が使用する衛生材料本体の枚数を選択でき、使い勝手を向上できる。
【００７９】
請求項５記載の使い捨て衛生材料によれば、第１の開封線の少なくとも一部に沿って設けた第１の表示部と、第２の開封線の少なくとも一部に沿って設けた第２の表示部との表示を異ならせることで、作業者が作業に応じた開封線を確実に目視で識別でき、所望の開封線でない開封線から誤って容器を開封することを防止できる。
【図面の簡単な説明】
【図１】本発明の第１の実施の形態の使い捨て衛生材料を示す平面図である。
【図２】同上使い捨て衛生材料の第１の開封線からの開封動作を示す平面図である。
【図３】同上使い捨て衛生材料の第１の開封線からの開封状態を示す平面図である。
【図４】同上使い捨て衛生材料の第２の開封線からの開封動作を示す平面図である。
【図５】同上使い捨て衛生材料の第２の開封線からの開封状態を示す平面図である。
【図６】本発明の第２の実施の形態の使い捨て衛生材料を示す平面図である。
【図７】同上使い捨て衛生材料の第１の開封線からの開封動作を示す平面図である。
【図８】本発明の第３の実施の形態の使い捨て衛生材料を示す平面図である。
【図９】本発明の第４の実施の形態の使い捨て衛生材料を示す平面図である。
【符号の説明】
１    使い捨て衛生材料
２    衛生材料本体
３    容器
４    分割線としての材料分割線
１１    第１の開封線
１２    第２の開封線
１５    第１の表示部
１６    第２の表示部
Ｓ    消毒剤
【図１】
2004359331.tif 000003
【図２】
2004359331.tif 000004
【図３】
2004359331.tif 000005
【図４】
2004359331.tif 000006
【図５】
2004359331.tif 000007
【図６】
2004359331.tif 000008
【図７】
2004359331.tif 000009
【図８】
2004359331.tif 000010
【図９】
2004359331.tif 000011